(57)【要約】【課題】縦剛性の上昇を抑えながら、横剛性を高めて操縦安定性を向上する。【解決手段】一対のビード部３間に架け渡されたカーカスプライ４を備える空気入りタイヤＴにおいて、カーカスプライ４は、第１カーカスプライ４１と、その外面側に配置された第２カーカスプライ４２を備える。第１カーカスプライ４１は、カーカスコード４１Ｄを子午線方向ＭＤに対して傾斜する方向に沿って配した第１傾斜領域４１Ｃをサイドウォール部２に有し、第２カーカスプライ４２は、カーカスコード４２Ｄを子午線方向ＭＤに対して傾斜する方向に沿って配した第２傾斜領域４２Ｃをサイドウォール部２に有する。第１傾斜領域４１Ｄと第２傾斜領域４２Ｄがサイドウォール部２において子午線方向ＭＤに隣接配置されている。【選択図】図３
2018103852.tif 000002
【特許請求の範囲】
【請求項１】
一対のビード部間に架け渡されたカーカスプライを備える空気入りタイヤにおいて、
前記カーカスプライは、子午線方向に沿って配された第１カーカスコードを含む第１カーカスプライと、子午線方向に沿って配された第２カーカスコードを含み前記第１カーカスプライの外面側に配置された第２カーカスプライと、を備え、
前記第１カーカスプライは、前記第１カーカスコードを子午線方向に対して傾斜する方向に沿って配した第１傾斜領域をサイドウォール部に有し、
前記第２カーカスプライは、前記第２カーカスコードを子午線方向に対して傾斜する方向に沿って配した第２傾斜領域をサイドウォール部に有し、
前記第１傾斜領域と前記第２傾斜領域がサイドウォール部において子午線方向に隣接配置された、空気入りタイヤ。
【請求項２】
前記第１傾斜領域における第１カーカスコードと前記第２傾斜領域における第２カーカスコードは子午線方向に対する傾斜が逆向きである、請求項１に記載の空気入りタイヤ。
【請求項３】
前記第１傾斜領域と前記第２傾斜領域が、ベルト端からビードフィラーの先端までの範囲内に設けられた、請求項１又は２に記載の空気入りタイヤ。
【請求項４】
前記第２傾斜領域が前記第１傾斜領域のタイヤ径方向外側に配置された、請求項１〜３のいずれか１項に記載の空気入りタイヤ。
【請求項５】
前記第２傾斜領域の幅が前記第１傾斜領域の幅以上に設定された、請求項４に記載の空気入りタイヤ。
【発明の詳細な説明】
【技術分野】
【０００１】
本発明は、空気入りタイヤに関するものである。
【背景技術】
【０００２】
現在、空気入りタイヤの主流となっているラジアルタイヤは、子午線方向（即ち、タイヤ周方向に直交する方向であり、ラジアル方向とも称される）に沿って配されたカーカスコードを含むカーカスプライを一対のビード部間に架け渡し、トレッド部におけるカーカスプライの外周にタイヤ周方向に対して傾斜したベルトコードを含む複数のベルトプライからなるベルトを設けた構成が一般的である。
【０００３】
空気入りタイヤにおいては、縦剛性の上昇を抑えながら、操縦安定性のために横剛性を向上することが求められる場合がある。特許文献１には、路面剛性を必要以上に上げずにサイド剛性を増大して操縦安定性を向上するために、２枚のカーカスプライのカーカスコードをベルト下部分では子午線方向に沿って配し、ベルト端付近からビードコアまでのサイド部分では２枚のカーカスプライ間でカーカスコードが交差するように子午線方向に対して傾斜させることが開示されている。このようにサイドウォール部においてカーカスコードに傾斜を持たせてセミラジアル領域を形成することでサイド剛性を向上することはできるものの、横剛性だけでなく縦剛性も向上してしまい、乗り心地性やトラクション性が損なわれる。
【先行技術文献】
【特許文献】
【０００４】
【特許文献１】特開２００７−１７６３０４号公報
【発明の概要】
【発明が解決しようとする課題】
【０００５】
本発明の実施形態は、以上の点に鑑み、縦剛性の上昇を抑えながら、横剛性を高めて操縦安定性を向上することができる空気入りタイヤを提供することを目的とする。
【課題を解決するための手段】
【０００６】
本発明の実施形態に係る空気入りタイヤは、一対のビード部間に架け渡されたカーカスプライを備える空気入りタイヤにおいて、前記カーカスプライは、子午線方向に沿って配された第１カーカスコードを含む第１カーカスプライと、子午線方向に沿って配された第２カーカスコードを含み前記第１カーカスプライの外面側に配置された第２カーカスプライと、を備え、前記第１カーカスプライは、前記第１カーカスコードを子午線方向に対して傾斜する方向に沿って配した第１傾斜領域をサイドウォール部に有し、前記第２カーカスプライは、前記第２カーカスコードを子午線方向に対して傾斜する方向に沿って配した第２傾斜領域をサイドウォール部に有し、前記第１傾斜領域と前記第２傾斜領域がサイドウォール部において子午線方向に隣接配置されたものである。
【発明の効果】
【０００７】
本実施形態によれば、サイドウォール部において第１カーカスプライと第２カーカスプライにカーカスコードを傾斜させた傾斜領域を設けたので、横剛性を高めて操縦安定性を向上することができる。しかも、第１傾斜領域と第２傾斜領域を重ね合わせるのではなく子午線方向において隣接配置、即ち隣り合ってつづくように配置したことにより、縦剛性の極端な上昇を抑制することができる。
【図面の簡単な説明】
【０００８】
【図１】一実施形態に係る空気入りタイヤの半断面図。
【図２】同空気入りタイヤの第１カーカスプライ及び第２カーカスプライの構成を各別に示す概念図。
【図３】同空気入りタイヤのサイドウォール部におけるカーカスプライ構成を示す側面概略図
【発明を実施するための形態】
【０００９】
以下、本発明の実施形態について図面に基づいて説明する。
【００１０】
図１に示す実施形態の空気入りタイヤＴは、乗用車用空気入りタイヤであって、接地面を構成するトレッド部１と、リムに固定される左右一対のビード部３と、トレッド部１とビード部３との間に介在する左右一対のサイドウォール部２とを備えてなる。なお、図１は、タイヤ回転軸を含む子午線断面でタイヤＴを切断した右側半断面図であり、この例ではタイヤＴは左右対称である。図中、ＣＬはタイヤ赤道面を示す。
【００１１】
本明細書において、タイヤ径方向とは、タイヤ回転軸に垂直な方向をいい、図１において符号ＲＤで示す。タイヤ幅方向とは、タイヤ回転軸に平行な方向をいい、図１において符号ＷＤで示す。タイヤ周方向とは、タイヤ回転軸を中心として回転する方向をいい、図３において符号ＣＤで示す。また、子午線方向とは、タイヤ周方向に垂直な方向をいい、図１〜３において符号ＭＤで示す。
【００１２】
ビード部３には、ビードワイヤで構成された環状のビードコア３１と、該ビードコア３１の外周に設置された先端側ほど幅狭の断面略三角形状をなす硬質ゴム製のビードフィラー３２が埋設されている。
【００１３】
タイヤＴには、一対のビード部３間にトロイダル状に架け渡されたカーカスプライ４が埋設されている。カーカスプライ４は、補強材としてのカーカスコードを所定の打ち込み本数で平行配列しトッピングゴムで被覆してなり、カーカスコードがタイヤ周方向に対して実質上直角に、即ち子午線方向ＭＤに沿って配されている。なお、カーカスコードとしては、例えば、ポリエステル繊維、レーヨン繊維、アラミド繊維、ナイロン繊維等の有機繊維コード、又はスチールコードなどが挙げられる。
【００１４】
トレッド部１におけるカーカスプライ４の外周側（即ち、タイヤ径方向外側）には、カーカスプライ４とトレッドゴム１２との間にベルト１１が配されている。ベルト１１は、カーカスプライ４のクラウン部外周に重ねて設けられており、通常は少なくとも２枚のベルトプライで構成される。この例では、ベルト１１は、最大幅ベルトとしての第１ベルトプライ１１Ａと、その外周に重ねて配された第２ベルトプライ１１Ｂとの２枚で構成されている。ベルトプライ１１Ａ，１１Ｂは、スチールコード等のベルトコードをタイヤ周方向に対して一定角度（例えば１０°〜３５°）で傾斜させかつタイヤ幅方向に所定間隔で配設してなるものであり、２枚のベルトプライ１１Ａ，１１Ｂ間でベルトコードが互いに交差するよう配設されている。
【００１５】
この例では、ベルト１１のタイヤ径方向外側、即ちベルト１１とトレッドゴム１２との間にベルト補強層１３が設けられている。ベルト補強層１３は、タイヤ周方向に対して実質的に平行に延びるコードを有するキャッププライにより構成されている。
【００１６】
サイドウォール部２におけるカーカスプライ４のタイヤ外面側にはサイドウォールゴム２１が設けられている。サイドウォール部２のビード部３寄りにはリムプロテクター２２が突出形成されている。なお、符号２３は、サイドウォール部２の表面に設けられた環状の微小突条からなるバットレスラインである。また、符号３３は、ビード部３に設けられたラバーチェーハーである。
【００１７】
本実施形態では、カーカスプライ４は、内外２枚で構成されており、すなわち、内面側の第１カーカスプライ４１と、その外面側（即ち、トレッド部１において第１カーカスプライ４１の外周側）に配置された第２カーカスプライ４２とからなる。なお、第１カーカスプライ４１のカーカスコードを第１カーカスコード４１Ｄとし、第２カーカスプライ４２のカーカスコードを第２カーカスコード４２Ｄとする。
【００１８】
第１カーカスプライ４１は、トレッド部１からサイドウォール部２を経て、ビード部３に至り、その両端部がビードコア３１で折り返されて係止されている。そのため、第１カーカスプライ４１は、一対のビードコア３１間に跨るトロイド状の本体部４１Ａと、本体部４１Ａの両端からビードコア３１の周りに折り返された折返し部４１Ｂを備える。折返し部４１Ｂは、ビードコア３１の周りにタイヤ幅方向内側から外側に向かって折り返されている。
【００１９】
第２カーカスプライ４２は、トレッド部１からサイドウォール部２を経て、ビード部３に至り、その両端部がビードコア３１で折り返されて係止されている。そのため、第２カーカスプライ４２は、一対のビードコア３１間に跨るトロイド状の本体部４２Ａと、本体部４２Ａの両端からビードコア３１の周りに折り返された折返し部４２Ｂを備える。折返し部４２Ｂは、ビードコア３１の周りにタイヤ幅方向内側から外側に向かって折り返されている。
【００２０】
第１カーカスプライ４１は、タイヤ子午線方向ＭＤに沿って配された第１カーカスコード４１Ｄを含み、該第１カーカスコード４１Ｄを子午線方向ＭＤに対して傾斜する方向に沿って配した第１傾斜領域４１Ｃをサイドウォール部２に有する。詳細には、図２に示すように、第１カーカスプライ４１の第１カーカスコード４１Ｄは、子午線方向ＭＤに配列され、即ち引き揃えられた複数本のカーカスコード４１Ｄのタイヤ周方向ＣＤに対する角度が実質的に９０°であることを基本とする。かかる基本配列を持つ第１カーカスコード４１Ｄは、両側のサイドウォール部２において子午線方向ＭＤに対して傾斜して配列した部分を有しており、これにより両側のサイドウォール部２にそれぞれ第１傾斜領域４１Ｃが形成されている。この例では、両側の第１傾斜領域４１Ｃのカーカスコード４１Ｄは子午線方向ＭＤに対して同じ向きに傾斜しているが、逆向きに傾斜させてもよい。第１傾斜領域４１Ｃ以外の領域では、第１カーカスコード４１Ｄは子午線方向ＭＤに配列されている。
【００２１】
第１傾斜領域４１Ｃにおける第１カーカスコード４１Ｄの傾斜角度は特に限定しないが、タイヤ周方向に対する角度θ１が、成形前のカーカスプライ部材における角度として７０°〜８０°であることが好ましく、加硫後のタイヤにおける角度として６０°〜７５°であることが好ましい。
【００２２】
第２カーカスプライ４２は、タイヤ子午線方向ＭＤに沿って配された第２カーカスコード４２Ｄを含み、該第２カーカスコード４２Ｄを子午線方向ＭＤに対して傾斜する方向に沿って配した第２傾斜領域４２Ｃをサイドウォール部２に有する。詳細には、図２に示すように、第２カーカスプライ４２の第２カーカスコード４２Ｄは、子午線方向ＭＤに配列されることを基本とするが、両側のサイドウォール部２において子午線方向ＭＤに対して傾斜して配列した部分が設けられており、これにより両側のサイドウォール部２にそれぞれ第２傾斜領域４２Ｃが形成されている。この例では、両側の第２傾斜領域４２Ｃのカーカスコード４２Ｄは子午線方向ＭＤに対して同じ向きに傾斜しているが、逆向きに傾斜させてもよい。第２傾斜領域４２Ｃ以外の領域では、第２カーカスコード４２Ｄは子午線方向ＭＤに配列されている。
【００２３】
第２傾斜領域４２Ｃにおける第２カーカスコード４２Ｄの傾斜角度は特に限定しないが、タイヤ周方向に対する角度θ２が、成形前のカーカスプライ部材における角度として７０°〜８０°であることが好ましく、加硫後のタイヤにおける角度として６０°〜７５°であることが好ましい。
【００２４】
第１傾斜領域４１Ｃにおける第１カーカスコード４１Ｄと第２傾斜領域４２Ｃにおける第２カーカスコード４２Ｄは、この例では、傾斜角度の大きさが同じ（即ち、θ１＝θ２）でかつ子午線方向ＭＤに対する傾斜が逆向きに設定されている。
【００２５】
図示は省略するが、各カーカスコード４１Ｄ，４２Ｄの角度が変化する境界部（即ち、第１傾斜領域４１Ｃとその両側の一般部との境界、及び第２傾斜領域４２Ｃとその両側の一般部との境界）は、屈曲によるコード疲労破壊を抑制するために、カーカスコード４１Ｄ，４２Ｄが曲率半径を持つ湾曲部を介して曲げられている。
【００２６】
図１〜３に示すように、第１傾斜領域４１Ｃと第２傾斜領域４２Ｃは、サイドウォール部２において子午線方向ＭＤに隣接配置されている。詳細には、第１傾斜領域４１Ｃと第２傾斜領域４２Ｃが互いに重複しないように子午線方向ＭＤにおいてずらして配置されており、但し、両領域４１Ｃ及び４２Ｃが子午線方向ＭＤにおいて連続するように隣り合って配置されている。
【００２７】
本実施形態では、第２傾斜領域４２Ｃが第１傾斜領域４１Ｃのタイヤ径方向外側に配置されている。すなわち、タイヤ内面側に位置する第１カーカスプライ４１の第１傾斜領域４１Ｃがタイヤ径方向内側に、タイヤ外面側に位置する第２カーカスプライ４２の第２傾斜領域４２Ｃがタイヤ径方向外側に配置されている。
【００２８】
図３に示されるように、サイドウォール部２において、点線で示す第１カーカスプライ４１の第１カーカスコード４１Ｄは、第１傾斜領域４１Ｃで子午線方向ＭＤに対して傾斜しており、その領域では実線で示す第２カーカスプライ４２の第２カーカスコード４２Ｄは子午線方向ＭＤに配列されている。また、第１傾斜領域４１Ｃの外周側に隣接する第２傾斜領域４２Ｃでは、第２カーカスコード４２Ｄが子午線方向ＭＤに対して傾斜しており、第１カーカスコード４１Ｄはその領域では子午線方向ＭＤに配列されている。
【００２９】
図１に示すように、第１傾斜領域４１Ｃと第２傾斜領域４２Ｃは、この例では、ベルト端１１Ｅからビードフィラー３２の先端３２Ａまでの範囲Ｒ０内に設けられている。すなわち、第１傾斜領域４１Ｃと第２傾斜領域４２Ｃを合わせた傾斜領域４３が、ベルト端１１Ｅとビードフィラー先端３２Ａとの間の範囲Ｒ０内に設けられている。ここで、ベルト端１１Ｅとは、ベルト１１のタイヤ幅方向端であり、この例では、最大幅ベルトである第１ベルトプライ１１Ａのタイヤ幅方向における端末である。ビードフィラー３２の先端３２Ａとは、ビードフィラー３２のタイヤ径方向外端である。
【００３０】
また、この傾斜領域４３の上端（即ち、外周端）４３Ａは、バットレスライン２３に相当する位置２３Ａよりも外径側に位置することが好ましく、傾斜領域４３の下端（即ち、内周端）４３Ｂは、タイヤ最大幅位置２４よりも内径側に位置することが好ましい。ここで、バットレスライン２３に相当する位置２３Ａとは、図１に示すタイヤ子午線断面において、カーカスプライの外形ラインの法線がバットレスライン２３を通るときの当該法線の位置である。また、タイヤ最大幅位置２４とは、タイヤを正規リムに装着して正規内圧を充填した無負荷の正規状態でタイヤ断面の幅が最大になる子午線方向での位置であり、リムプロテクター２２などの突起を除いた基本プロファイルでの幅が最大になる位置である。
【００３１】
本実施形態では、図１に示すように、第２傾斜領域４２Ｃの外周端４３Ａが、バットレスライン２３に相当する位置２３Ａよりも外径側かつベルト端１１Ｅよりも内径側の範囲Ｒ１内に位置し、第１傾斜領域４１Ｃの内周端４３Ｂが、タイヤ最大幅位置２４よりも内径側かつビードフィラー３２の先端３２Ａよりも外径側の範囲Ｒ２内に位置している。詳細には、第２傾斜領域４２Ｃの外周端４３Ａはベルト端１１Ｅの近傍に位置し、第１傾斜領域４１Ｃの内周端４３Ｂはタイヤ最大幅位置２４とビードフィラー３２の先端３２Ａとの中間点付近に位置している。
【００３２】
第２傾斜領域４２Ｃの幅Ｗ２は、第１傾斜領域４１Ｃの幅Ｗ１以上に設定されていることが好ましく（Ｗ１≧Ｗ２）、この例では同じ幅、即ちＷ２＝Ｗ１に設定されている。ここで、第１及び第２傾斜領域４１Ｃ，４２Ｃの幅Ｗ１，Ｗ２は、子午線方向ＭＤに沿った長さであり、成形前のカーカスプライ部材における各領域の幅に等しい。
【００３３】
以上よりなる本実施形態であると、サイドウォール部２において第１カーカスプライ４１と第２カーカスプライ４２にカーカスコード４１Ｄ，４２Ｄを傾斜させた第１及び第２傾斜領域４１Ｃ，４２Ｃを設けたので、横剛性を高めて操縦安定性を向上することができる。
【００３４】
しかも、第１傾斜領域４１Ｃと第２傾斜領域４２Ｃを重複しないように子午線方向ＭＤにおいて隣接配置させたことにより、縦剛性の極端な上昇を抑えることができ、乗り心地性やトラクション性の低下を抑えることができる。詳細には、図３に示すように、第１傾斜領域４１Ｃと第２傾斜領域４２Ｃとの境界４４は、双方のカーカスコード４１Ｄ，４２Ｄの傾斜が変わる変曲点が位置することから撓みやすく、縦剛性を下げることができる。
【００３５】
本実施形態によれば、また、第１傾斜領域４１Ｃと第２傾斜領域４２Ｃを、ベルト端１１Ｅからビードフィラー３２の先端３２Ａまでの範囲Ｒ０内に設けており、操縦安定性の向上に対する寄与の大きい部位で第１及び第２カーカスコード４１Ｄ，４２Ｄに傾斜を付与したので、操縦安定性を効果的に向上することができる。また、その他の部位については、第１及び第２カーカスコード４１Ｄ，４２Ｄを子午線方向ＭＤに沿って設けたので、カーカスプライ４の全領域でカーカスコードを傾斜させる場合に比べて、カーカスコードの長さを短くすることができ、タイヤ重量の軽減に繋がる。
【００３６】
本実施形態によれば、また、第２傾斜領域４２Ｃを第１傾斜領域４１Ｃのタイヤ径方向外側に配置したことにより次の作用効果が奏される。すなわち、外径側に位置する第２傾斜領域４２Ｃにより、バットレスライン２３近傍のタイヤバットレス部におけるタイヤ外面側の剛性を効果的に高めることができる。タイヤに横力がかかったときに歪みが大きいのはバットレス部のタイヤ外面側であるため、外面側に位置する第２カーカスプライ４２の第２傾斜領域４２Ｃをバットレス部に相当する外径側に配置することで、より効果的に横剛性を向上することができる。また、その内径側に第１カーカスプライ４１の第１傾斜領域４１Ｃを設けることにより、バットレス部に対する極端な剛性変化を抑制することができる。
【００３７】
また、第２傾斜領域４２Ｃの幅Ｗ２を第１傾斜領域４１Ｃの幅Ｗ１以上に設定したことにより、横剛性を向上する効果を高めることができる。
【実施例】
【００３８】
上記実施形態の効果を示すために、実施例及び比較例の空気入りタイヤ（サイズ：２２５／４０Ｒ１８）を試作した。
【００３９】
実施例１のタイヤは、図１〜３に示す上記実施形態の構成を持つものであり、第１傾斜領域４１Ｃと第２傾斜領域４２Ｃでの第１及び第２カーカスコード４１Ｄ，４２Ｄのタイヤ周方向に対する傾斜角度θ１，θ２は、加硫後のタイヤにおける角度で６７°とした。
【００４０】
実施例２のタイヤは、実施例１のタイヤに対して、第１傾斜領域４１Ｃと第２傾斜領域４２Ｃをタイヤ径方向に対して逆に配置した例であり（第１傾斜領域４１Ｃを第２傾斜領域４２Ｃのタイヤ径方向外側に配置）、その他は実施例１と同じ構成とした。
【００４１】
比較例１は、第１及び第２カーカスプライ４１，４２の第１及び第２カーカスコード４１Ｄ，４２Ｄをともに全ての領域で子午線方向に沿って配列し傾斜領域を設けていないフルラジアル構造の例であり（タイヤ周方向に対するカーカスコードの角度：９０°）、その他の構成は実施例１と同じ構成とした。
【００４２】
比較例２は、第１及び第２カーカスプライ４１，４２の第１及び第２カーカスコード４１Ｄ，４２Ｄをともに全ての領域でタイヤ周方向に対して６７°（加硫後のタイヤにおける角度）に傾斜させて配列したセミラジアル構造の例であり、その他の構成は実施例１と同じ構成とした。
【００４３】
比較例３は、実施例１のタイヤに対して、傾斜領域４３に相当する範囲で第１傾斜領域４１Ｃと第２傾斜領域４２Ｃを全体的に重ね合わせて、逆向きに傾斜した第１カーカスコード４１Ｄと第２カーカスコード４２Ｄを互いに交差させた例であり（部分セミラジアル構造）、その他の構成は実施例１と同じ構成とした。
【００４４】
実施例及び比較例の各空気入りタイヤについて、操縦安定性、耐久性、縦剛性及び横剛性を測定・評価した。測定・評価方法は以下のとおりである。
【００４５】
・操縦安定性：試験タイヤを国産２Ｌセダン車に装着して、実車による官能評価を行った。評価結果は、比較例を１００とした指数で表示し、指数が大きいほど操縦安定性が良好であることを示す。
【００４６】
・耐久性：米国自動車安全基準ＦＭＶＳＳ１３９に定める条件に準拠し、ドラム式試験機にて耐久性試験を行い、タイヤに故障が発生するまでの走行距離を測定し、比較例１の値を１００とした指数で表示した。指数が大きいほど耐久性が良好であることを示す。
【００４７】
・縦剛性（タイヤ径方向剛性）：５０ｔ剛性試験機にタイヤを１８×８．０Ｊのリムに、空気圧：２２０ｋＰａで組み付け、キャンバー角０°の状態で、縦荷重が４．４ｋＮ±４９０Ｎの間における鉛直力の変化量を鉛直方向の縦撓みの変化量で除することで求め、比較例１の値を１００とした指数で表示した。指数が大きいほど、縦剛性が大きいことを示す。
【００４８】
・横剛性（タイヤ幅方向剛性）：５０ｔ剛性試験機にタイヤ内圧：２２０ｋＰａ、リム：１８×８．０Ｊ、縦荷重４．４ｋＮをかけた状態で、該縦荷重の３０％の荷重を横力として負荷して横撓み量を測定し、横力を横撓み量で除することで横剛性を求め、比較例１の値を１００とした指数で表示した。指数が大きいほど、横剛性が大きいことを示す。
【００４９】
【表１】
2018103852.tif 000003
【００５０】
結果は、表１に示す通りであり、フルラジアル構造である比較例１に対し、カーカスコードを全ての領域で傾斜させた比較例２では、操縦安定性には優れたものの、横剛性だけでなく、縦剛性も大きく上昇していた。そのため、乗り心地性やトラクション性に劣るものであった。また、比較例２では耐久性にも劣っていた。比較例３では、サイドウォール部のみにコード交差部を設けたので、比較例２に対して縦剛性の上昇が抑えられたが、不十分であった。これに対し、本実施形態に係る実施例１，２であると、縦剛性の上昇を抑えながら、横剛性を向上させることでき、そのため、乗り心地性やトラクション性の悪化を抑えながら、操縦安定性を向上することができた。また、耐久性の悪化も抑制されていた。
【００５１】
以上、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
Ｔ…空気入りタイヤ、１…トレッド部、２…サイドウォール部、３…ビード部、４…カーカスプライ、１１…ベルト、１１Ｅ…ベルト端、３２…ビードフィラー、４１…第１カーカスプライ、４１Ｃ…第１傾斜領域、４１Ｄ…カーカスコード、４２…第２カーカスプライ、４２Ｃ…第２傾斜領域、４２Ｄ…カーカスコード
【図１】
2018103852.tif 000004
【図２】
2018103852.tif 000005
【図３】
2018103852.tif 000006